【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
サーバにより提供される操作画面を表示可能な表示部を備える情報処理装置であって、
前記サーバにより提供され、前記表示部に表示された操作画面を介したユーザからの指示内容を前記サーバに通知する通知手段と、
前記通知手段が通知した指示内容に基づいて前記サーバから処理の実行を要求された場合に、当該要求された処理を実行する処理手段と、
前記通知手段が前記サーバへの通知を行った後、前記サーバにより提供された操作画面が前記表示部に表示されている場合は、前記サーバから要求された処理を前記処理手段に実行させ、前記サーバにより提供された操作画面に代えて他の操作画面が前記表示部に表示されている場合は、前記サーバから要求された処理の実行を行わないよう制御する制御手段と、
を備えることを特徴とする情報処理装置。
【請求項２】
サーバにより提供される操作画面をＷｅｂブラウザ機能により表示可能な表示部を備える情報処理装置であって、
前記Ｗｅｂブラウザ機能により前記表示部に表示された操作画面を介したユーザからの指示内容を前記サーバに通知する通知手段と、
前記通知手段が通知した指示内容に基づいて前記サーバから処理の実行を要求された場合に、当該要求された処理を実行する処理手段と、
前記通知手段が前記サーバへの通知を行った後、前記表示部に表示されている操作画面が前記Ｗｅｂブラウザ機能により表示された操作画面である場合は、前記サーバから要求された処理を前記処理手段に実行させ、前記表示部に表示されている操作画面が前記Ｗｅｂブラウザ機能により表示された操作画面でない場合は、前記サーバから要求された処理の実行を行わないよう制御する制御手段と、
を備えることを特徴とする情報処理装置。
【請求項３】
前記サーバから要求された処理が、第１種別の処理であるか第２種別の処理であるかを判定する判定手段を更に備え、
前記制御手段は、前記サーバから要求された処理が前記第１種別の処理である場合は、前記表示部に表示されている操作画面に応じた前記制御を実行し、前記サーバから要求された処理が前記第２種別の処理である場合は、前記表示部に表示されている操作画面に関わらず当該サーバから要求された処理を前記処理手段に実行させることを特徴とする請求項１または２に記載の情報処理装置。
【請求項４】
前記第１種別の処理は、当該処理を実行した後にユーザからの操作を必要とする処理であり、前記第２種別の処理は、当該処理を実行した後にユーザからの操作を必要としない処理であることを特徴とする請求項３に記載の情報処理装置。
【請求項５】
前記処理手段が処理を実行する際に、当該処理が実行中であることを示す画面を前記表示部に表示する表示制御手段を更に備え、
前記第１種別の処理は、当該処理が実行される際に前記表示制御手段による画面の表示が行われる処理であり、前記第２種別の処理は、当該処理が実行される際に前記表示制御手段による画面の表示が行われない処理であることを特徴とする請求項３に記載の情報処理装置。
【請求項６】
原稿上の画像を読み取って、当該画像に対応する画像データを生成する読取手段を更に備え、
前記第１種別の処理は、前記読取手段により実行される読取処理を含むことを特徴とする請求項３から５のいずれか１項に記載の情報処理装置。
【請求項７】
前記サーバから送信される画像データを印刷する印刷手段を更に備え、
前記第２種別の処理は、前記印刷手段により実行される印刷処理を含むことを特徴とする請求項３から６のいずれか１項に記載の情報処理装置。
【請求項８】
前記表示部は、前記サーバから送信されるＨＴＭＬファイルを受信し、当該ＨＴＭＬファイルを解析した結果に基づいて前記操作画面を表示するＷｅｂブラウザ機能を有することを特徴とする請求項１に記載の情報処理装置。
【請求項９】
前記制御手段は、前記Ｗｅｂブラウザ機能によって表示される操作画面が前記表示部の最前面に表示されている場合は、前記サーバから要求された処理を前記処理手段に実行させ、前記Ｗｅｂブラウザ機能によって表示される操作画面以外の操作画面が前記表示部の最前面に表示されている場合は、前記サーバから要求された処理の実行を行わないよう制御することを特徴とする請求項８に記載の情報処理装置。
【請求項１０】
サーバにより提供される操作画面を表示可能な表示部を備える情報処理装置の制御方法であって、
前記サーバにより提供され、前記表示部に表示された操作画面を介したユーザからの指示内容を前記サーバに通知する通知工程と、
前記通知工程で通知した指示内容に基づいて前記サーバから処理の実行を要求された場合に、当該要求された処理を実行する処理工程と、
前記通知工程で前記サーバへの通知を行った後、前記サーバにより提供された操作画面が前記表示部に表示されている場合は、前記サーバから要求された処理を前記処理工程で実行させ、前記サーバにより提供された操作画面に代えて他の操作画面が前記表示部に表示されている場合は、前記サーバから要求された処理の実行を行わないよう制御する制御工程と、
を備えることを特徴とする情報処理装置の制御方法。
【請求項１１】
サーバにより提供される操作画面をＷｅｂブラウザ機能により表示可能な表示部を備える情報処理装置の制御方法であって、
前記Ｗｅｂブラウザ機能により前記表示部に表示された操作画面を介したユーザからの指示内容を前記サーバに通知する通知工程と、
前記通知工程で通知した指示内容に基づいて前記サーバから処理の実行を要求された場合に、当該要求された処理を実行する処理工程と、
前記通知工程で前記サーバへの通知を行った後、前記表示部に表示されている操作画面が前記Ｗｅｂブラウザ機能により表示された操作画面である場合は、前記サーバから要求された処理を前記処理工程で実行させ、前記表示部に表示されている操作画面が前記Ｗｅｂブラウザ機能により表示された操作画面でない場合は、前記サーバから要求された処理の実行を行わないよう制御する制御工程と、
を備えることを特徴とする情報処理装置の制御方法。
【請求項１２】
コンピュータを請求項１乃至９のいずれか１項に記載の情報処理装置の各手段として機能させるためのプログラム。
【手続補正２】
【補正対象書類名】明細書
【補正対象項目名】００１４
【補正方法】変更
【補正の内容】
【００１４】
上記の目的を達成するために本発明の情報処理装置は、サーバにより提供される操作画面を表示可能な表示部を備える情報処理装置であって、前記サーバにより提供され、前記表示部に表示された操作画面を介したユーザからの指示内容を前記サーバに通知する通知手段と、前記通知手段が通知した指示内容に基づいて前記サーバから処理の実行を要求された場合に、当該要求された処理を実行する処理手段と、前記通知手段が前記サーバへの通知を行った後、前記サーバにより提供された操作画面が前記表示部に表示されている場合は、前記サーバから要求された処理を前記処理手段に実行させ、前記サーバにより提供された操作画面に代えて他の操作画面が前記表示部に表示されている場合は、前記サーバから要求された処理の実行を行わないよう制御する制御手段と、を備えることを特徴とする。また、本発明の情報処理装置は、サーバにより提供される操作画面をＷｅｂブラウザ機能により表示可能な表示部を備える情報処理装置であって、前記Ｗｅｂブラウザ機能により前記表示部に表示された操作画面を介したユーザからの指示内容を前記サーバに通知する通知手段と、前記通知手段が通知した指示内容に基づいて前記サーバから処理の実行を要求された場合に、当該要求された処理を実行する処理手段と、前記通知手段が前記サーバへの通知を行った後、前記表示部に表示されている操作画面が前記Ｗｅｂブラウザ機能により表示された操作画面である場合は、前記サーバから要求された処理を前記処理手段に実行させ、前記表示部に表示されている操作画面が前記Ｗｅｂブラウザ機能により表示された操作画面でない場合は、前記サーバから要求された処理の実行を行わないよう制御する制御手段と、を備えることを特徴とする。